(57)【要約】【課題】余分な費用や手間をかけずエレベーターを所定の運転手順（専用運転）に切り換え、操作性のよいエレベーター制御装置を提供することを目的とする。【解決手段】本発明に係るエレベーター制御装置２００は、時計２２０と、所定の運転手順と運転開始時刻と運転終了時刻と利用者情報とを記憶するスケジュール記憶部２１１と、個人認証装置１０２ａから利用者の個人識別情報を入力する個人識別情報入力部２６０と、現在時刻が前記スケジュール記憶部に記憶された運転開始時刻から運転終了時刻までの所定の時間内であるか否かを判定するスケジュール制御部２３０と、利用者情報と個人識別情報とが一致しているか否かを判別する利用者識別部２５０と、スケジュール制御部２３０の判定結果と、前記利用者識別部２６０の判別結果によりエレベーターの運転を制御する運転制御部２４０とを備えたことを特徴とする。【選択図】図１
2009062120.tif 000002
【特許請求の範囲】
【請求項１】
エレベーターの運転を制御するエレベーター制御装置において、
時刻を計時する時計と、
エレベーターのかごの所定の運転手順と、前記所定の運転手順により前記エレベーターの運転を開始する運転開始時刻と、運転を終了する運転終了時刻と、前記所定の運転手順により前記エレベーターを利用する利用者の利用者情報とを記憶するスケジュール記憶部と、
個人認証装置から前記エレベーターの利用者の個人識別情報を入力する個人識別情報入力部と、
前記時計から現在の時刻を入手し、入手された現在の時刻が前記スケジュール記憶部に記憶された前記運転開始時刻から前記運転終了時刻までの所定の時間内であるか否かを判定するスケジュール制御部と、
前記スケジュール記憶部に記憶された利用者情報と、前記個人識別情報入力部に入力された個人識別情報とが一致しているか否かを判別する利用者識別部と、
前記スケジュール制御部が現在の時刻が前記所定の時間内であると判定し、前記利用者識別部が前記利用者情報と前記個人識別情報とが一致していると判別した場合に、前記所定の運転手順でエレベーターの運転を制御する運転制御部と
を備えたことを特徴とするエレベーター制御装置。
【請求項２】
前記エレベーター制御装置は、さらに、
前記所定の運転手順と、前記所定の運転手順によるエレベーターの運転開始時刻と運転終了時刻と、前記利用者情報との入力を受け付けるとともに、受け付けた前記所定の運転手順と前記所定の運転手順によるエレベーターの前記運転開始時刻と前記運転終了時刻と前記利用者情報とを前記スケジュール記憶部に記憶する情報設定部を備えたことを特徴とする請求項１記載のエレベーター制御装置。
【請求項３】
前記スケジュール記憶部は、さらに、
前記所定の運転手順により、エレベーターの運転が制御される対象となる階を示す運転階を記憶し、
前記運転制御部は、さらに、
前記運転階において前記所定の運転手順でエレベーターの運転を制御する
ことを特徴とする請求項１又は２記載のエレベーター制御装置。
【請求項４】
前記情報設定部は、さらに、
前記運転階の入力を受け付けるとともに、受け付けた運転階を前記スケジュール記憶部に記憶する
ことを特徴とする請求項３記載のエレベーター制御装置。
【請求項５】
前記エレベーター制御装置は、複数台のエレベーターを制御しており、
前記スケジュール記憶部は、さらに、
前記複数台のエレベーターの中から、前記所定の運転手順により運転するエレベーターを特定する運転エレベーター情報を記憶し、
運転制御部は、さらに、
前記運転エレベーター情報で特定されたエレベーターを対象として、前記所定の運転手順で運転を制御することを特徴とする請求項１乃至４何れかに記載のエレベーター制御装置。
【請求項６】
前記情報設定部は、さらに、
前記運転エレベーター情報の入力を受け付けるとともに、受け付けた運転エレベーター情報を前記スケジュール記憶部に記憶する
ことを特徴とする請求項５記載のエレベーター制御装置。
【請求項７】
前記エレベーター制御装置は、さらに、
エレベーターのかご内と乗場との少なくともいずれかに設置された表示装置に情報を表示する表示情報制御部を備え、
前記表示情報制御部は、前記スケジュール記憶部が記憶する前記所定の運転手順と、前記運転開始時刻及び前記運転終了時刻と、前記利用者情報と、前記個人識別情報入力部が入力した前記個人識別情報とを表示する
ことを特徴とする請求項１乃至６何れかに記載のエレベーター制御装置。
【請求項８】
前記所定の運転手順は、
かご内の戸閉釦が押されるまで戸が閉じず待機し続ける運転手順であることを特徴とする請求項１乃至７何れかに記載のエレベーター制御装置。
【請求項９】
エレベーターの運転を制御するエレベーター制御方法であって、
スケジュール記憶部が、エレベーターのかごの所定の運転手順と、前記所定の運転手順により前記エレベーターの運転を開始する運転開始時刻と、運転を終了する運転終了時刻と、前記所定の運転手順により前記エレベーターを利用する利用者の利用者情報とをＣＰＵ（Ｃｅｎｔｒａｌ  Ｐｒｏｃｃｅｓｓｉｎｇ  Ｕｎｉｔ）を用いて記憶するスケジュール入力処理を行い、
時計より現在時刻を、ＣＰＵを用いて入力する時刻入力処理を行い、
個人識別情報入力部が、個人認証装置より前記エレベーターの利用者の個人識別情報を、ＣＰＵを用いて入力する個人識別情報入力処理を行い、
スケジュール制御部が、現在時刻が前記運転開始時刻から前記運転終了時刻までの所定の時間内であるか否かをＣＰＵを用いて判定するスケジュール判定処理を行い、
利用者識別部が、前記利用者情報と前記個人識別情報とが一致するか否かをＣＰＵを用いて判別する個人識別情報判別処理を行い、
運転制御部が、スケジュール制御部が現在時刻は前記所定の時間内であると判定し、利用者識別部が前記利用者情報と前記個人識別情報とが一致すると判別した場合に、前記所定の運転手順により前記エレベーターの運転を開始することを、ＣＰＵを用いて指示する運転開始処理を行う
ことを特徴とするエレベーター制御方法。
【請求項１０】
請求項９記載のエレベーター制御方法をコンピュータに実行させるエレベーター制御プログラム。
【発明の詳細な説明】
【技術分野】
【０００１】
本発明は、例えば、エレベーターの運転を制御するエレベーター制御装置に関する。
【背景技術】
【０００２】
従来のエレベーター制御装置においては、荷物の積み降ろしの際にドアが閉まってくると作業が円滑に行えず、また危険であった。そこで、戸開時間を通常時よりも延長することを目的として、かご内操作盤に戸開延長釦を設置し、戸開中にこの戸開延長釦を操作することにより戸開時間を通常よりも長くする戸開延長機能を備えたものがある。
【０００３】
また、戸開延長釦を設置せず、通常運転から専用運転に切り換え、荷物の積み降ろし等に対応しているエレベーターもある。この通常運転とは、乗場呼び等でエレベーターが所定の階床に到着すると一旦は戸が開くが、所定の時間（約２〜４秒）の経過時には自動的に戸が閉じる運転手順である。この戸が閉じると、任意の乗場呼びに応じてエレベーターが移動するものである。一方、専用運転とは、エレベーターのかご内の戸閉釦が押されるまで、そのエレベーターの戸が閉じずに待機し続ける運転手順である。
【０００４】
また、事前呼びを行った人の個人識別情報を乗場またはかご内で確認し、専用運転サービスを受けるために事前呼びを行った人が確実にサービスを受けることが出来るようにしている（例えば、特許文献１参照）。
【特許文献１】特開２００５−２１２９２３号公報
【発明の開示】
【発明が解決しようとする課題】
【０００５】
従来のエレベーター制御装置では、戸開延長を行う場合、戸開延長釦を設けなければならない。そのため、引越し等で荷物の積み下ろしを行う程度で、戸開延長釦の使用頻度の少ないマンション等の集合住宅では、余分な費用がかかるという課題があった。
【０００６】
また、通常運転から専用運転に切り換える場合は、非常に手間がかかるものであり、エレベーター専用運転で利用したい人が、管理人等からかご内にあるロックされた切り換えスイッチのカバーを開けるための鍵を借用し、エレベーターを呼寄せた後で、そのかご内の切換スイッチのカバーを開放し、切換スイッチを操作して、通常運転から専用運転に切り換えなければならなかった。
【０００７】
また、専用運転サービスを受けるために事前呼びを行う方法では、引越し等で荷物の運搬を行う場合、専用運転に切り換えるために何回も事前呼びの登録を行う必要があり、操作性が悪いという課題があった。
本発明は、例えば、上記のような課題を解決するためになされたものであり、余分な費用や手間をかけず専用運転に切り換えることができる、操作性のよいエレベーター制御装置を提供することを目的とする。
【課題を解決するための手段】
【０００８】
本発明に係るエレベーター制御装置は、
エレベーターの運転を制御するエレベーター制御装置において、
時刻を計時する時計と、
エレベーターのかごの所定の運転手順と、前記所定の運転手順により前記エレベーターの運転を開始する運転開始時刻と、運転を終了する運転終了時刻と、前記所定の運転手順により前記エレベーターを利用する利用者の利用者情報とを記憶するスケジュール記憶部と、
個人認証装置から前記エレベーターの利用者の個人識別情報を入力する個人識別情報入力部と、
前記時計から現在の時刻を入手し、入手された現在の時刻が前記スケジュール記憶部に記憶された前記運転開始時刻から前記運転終了時刻までの所定の時間内であるか否かを判定するスケジュール制御部と、
前記スケジュール記憶部に記憶された利用者情報と、前記個人識別情報入力部に入力された個人識別情報とが一致しているか否かを判別する利用者識別部と、
前記スケジュール制御部が現在の時刻が前記所定の時間内であると判定し、前記利用者識別部が前記利用者情報と前記個人識別情報とが一致していると判別した場合に、前記所定の運転手順でエレベーターの運転を制御する運転制御部と
を備えたことを特徴とする。
【発明の効果】
【０００９】
本発明に係るエレベーター制御装置によれば、スケジュール制御部がスケジュール記憶部に記憶された所定の運転手順を実施する期間内であると判断し、さらに、利用者識別部が利用者情報と個人識別情報とが一致していると判別することにより、運転制御部が所定の運転手順でエレベーターの運転を制御するので、エレベーターの利用者は、必要に応じて所定の運転手順でエレベーターのサービスが受けられる。また、所定の運転手順によるサービスを受ける利用者を特定し、他の利用者はその所定の運転手順によるサービスを受けることがないため、余計なエレベータの遅延が発生せず、ビル全体のサービスの悪化を防止することができるという効果を奏する。
【発明を実施するための最良の形態】
【００１０】
実施の形態１．
以下、本発明の実施の形態について、図１〜図３を用いて説明する。
図１は、以下で説明する各実施の形態に係るエレベーター制御装置の構成を示すブロック構成図である。図２は、実施の形態１に係るエレベーター制御装置のハードウェア構成の一例を示す図である。図３は、実施の形態１に係るエレベーター制御装置の動作を示す動作フローチャートである。
【００１１】
まず、本実施の形態１で示すエレベーター制御装置２００が運転を制御するエレベーターかご１００について説明する。エレベーターかご１００には、利用者がエレベーターかご１００の戸の開閉を指示する周知の戸開釦１０１ａ、周知の戸閉釦１０１ｂ、利用者がエレベーターかご１００の行き先を指示する周知の行き先釦１０１ｃ、利用者の個人識別情報を個人認証カード等から読取る装置である個人認証装置１０２ａ、情報を表示する表示装置１０３ａが実装されている。図示していないがエレベーターかご１００が到着した各階の乗場においても、個人認証装置１０２ｂと情報を表示する表示装置１０３ｂとが実装されている。エレベーターかご１００内に設置された個人認証装置１０２ａと乗場に設置された個人認証装置１０２ｂとをあわせて示す場合は、単に個人認証装置１０２と記する場合がある。また、同様にエレベーターかご１００内に設置された表示装置１０３ａと乗場に設置された表示装置１０３ｂをあわせて示す場合は表示装置１０３と記する場合がある。
【００１２】
次に、エレベーターかご１００の運転を制御するエレベーター制御装置２００が備える各ブロックについて説明する。エレベーター制御装置２００は、情報設定部２１０、スケジュール記憶部２１１、時計２２０、スケジュール制御部２３０、運転制御部２４０、利用者識別部２５０、個人識別情報入力部２６０、表示情報制御部２７０を備えている。
【００１３】
スケジュール記憶部２１１は、エレベーターかご１００の運転手順を示す所定の運転手順と、その所定の運転手順によりエレベーターの運転を開始する運転開始時刻と、運転を終了する運転終了時刻と、その所定の運転手順によりエレベーターを利用する利用者情報とを記憶する。
ここで、所定の運転手順とは、例えば、エレベーターのかごの戸の開閉手順を記録した情報である。所定の運転手順の一例として、引越し作業等でエレベーターを利用する場合、荷物の積み下ろし等に対応して、戸開時間を通常時よりも長くする運転手順とすることがあげられる。また、所定の運転手順の別例として、エレベーターのかご内の戸閉釦１０１ｂが押されるまで、そのエレベーターの戸が閉じずに待機し続ける運転手順がある。以下では、利用者が特定されている所定の運転手順を専用運転と呼ぶ。所定の運転手順（専用運転）は、複数設定することができ、所定の運転手順（専用運転）毎に運転開始時刻、運転終了時刻、利用者を設定することが可能である。一方、利用者が特定されていない、通常時におけるエレベーターの運転手順を通常運転と呼ぶ。通常運転とは、例えば、乗場呼び等でエレベーターが所定の階床に到着すると一旦は戸が開くが、所定の時間（約２〜４秒）の経過後には自動的に戸が閉じるものである。
運転開始時刻と運転終了時刻とは、年月日時分で表された時刻情報であるが、月日のみが設定されていても構わない。月日により設定した場合は、午前０時が開始時刻または終了時刻となる。利用者情報とは、利用者を特定できる情報であり、例えば、「２０３号室」といったホテルやマンション等の部屋番号等があげられる。また、利用者情報は、特定の引越し業者等を示す情報であっても構わない。利用者情報は、氏名、住所等により個人を特定しても構わない。
【００１４】
情報設定部２１０は、エレベーターの管理者等が入力した所定の運転手順（専用運転）と運転開始時刻と運転終了時刻と利用者情報とを受け付け、受け付けた各種情報をスケジュール記憶部２１１に記憶する。例えば、エレベーターの管理者は、入力装置としてエレベーター制御装置２００と接続した監視盤や携帯端末等の外部機器を使用して、専用運転を行う運転開始時刻と運転終了時刻と、専用運転によりサービスを受ける利用者の利用者情報を入力する。入力を受け付けた情報設定部２１０は、スケジュール記憶部２１１に所定の運転手順と運転開始時刻と運転終了時刻と利用者情報とを記憶する。
【００１５】
時計２２０は、時刻を計時する装置であり、スケジュール制御部２３０の指示に応じて、指示された時刻（現在時刻）をスケジュール制御部２３０に入力する。また、後述する表示情報制御部２７０にも現在時刻を入力する。
【００１６】
スケジュール制御部２３０は、情報設定部２１０でスケジュール記憶部２１１に記憶された専用運転を開始する運転開始時刻と専用運転を終了する運転終了時刻と時計２２０が示す時刻とを比較し、現在時刻がスケジュール設定時間内（運転開始時刻から運転終了時刻までの所定の時間内）であるか否かを判定する。スケジュール制御部２３０は判定した結果を運転制御部２４０に入力する。
【００１７】
個人識別情報入力部２６０は、エレベーターかご１００内に設置された個人認証装置１０２ａ又は乗場に設置された個人認証装置１０２ｂから得られた個人識別情報を取得する。個人識別情報入力部２６０は、取得した個人識別情報を利用者識別部２５０に入力する。個人識別情報の内容は、原則として上記利用者情報と同様の内容であり、例えば、部屋番号などの個人を特定する情報である。エレベーターの利用者は、個人を識別するための個人識別情報が記録されたカードキー等を個人認証装置１０２にかざすことにより、個人識別情報入力部２６０に個人識別情報を入力することができる。
【００１８】
利用者識別部２５０は、スケジュール記憶部２１１から利用者情報を取得し、取得した利用者情報と、個人識別情報入力部２６０から入力された個人識別情報とが一致するか否かを判別する。判別した結果を運転制御部２４０に入力する。
【００１９】
運転制御部２４０は、スケジュール制御部２３０が判定した結果および利用者識別部２５０が判別した結果（検出結果）に基づき、エレベーターかご１００を専用運転により運転するか、通常運転により運転するか否かを決定する。専用運転により運転すると決定した場合は、専用運転によりエレベーターかご１００を運転する。通常の運転により運転すると決定した場合は、通常の運転手順によりエレベーターかご１００を運転する。
スケジュール制御部２３０が、現在の時刻が、スケジュール記憶部２１１に記憶された所定の時間内（運転開始時刻から運転終了時刻まで）であると判定し、利用者識別部２５０が、現在エレベーターを利用している利用者が、その専用運転により運転する利用者である（利用者情報と個人識別情報とが一致している）と判別した場合、運転制御部２４０は、エレベーターかご１００を専用運転により運転するよう制御する。
【００２０】
表示情報制御部２７０は、情報設定部２１０でスケジュール記憶部２１１に記憶された運転開始時間、運転終了時刻、利用者情報等の情報を元に作成したメッセージを表示する。メッセージを表示することにより、専用運転により運転をすることを必要としない他の利用者にも専用運転中であること案内・通知される。運転情報を表示する表示期間は、例えば、専用運転を実施している期間は常に表示するようにしてもよい。
【００２１】
図１を用いて説明した、「〜部」は、すべてマイクロコンピューター内のソフトウェアによって構成されているが、ハードウェアによって構成されていても構わない。
【００２２】
図２を用いて、エレベーター制御装置２００のハードウェア資源の一例について説明する。
図２において、エレベーター制御装置２００は、プログラムを実行するＣＰＵ９１１（Ｃｅｎｔｒａｌ  Ｐｒｏｃｅｓｓｉｎｇ  Ｕｎｉｔ、中央処理装置、処理装置、演算装置ともいう）を備えている。ＣＰＵ９１１は、バス９１２を介してＲＯＭ９１３、ＲＡＭ９１４、通信ボード９１５、表示装置１０３、入力機器９０２、記憶装置９２０と接続され、これらのハードウェアデバイスを制御する。記憶装置９２０は、例えば、磁気ディスク装置、光ディスク装置、メモリカード読み書き装置などである。
ＲＡＭ９１４は、揮発性メモリの一例である。ＲＯＭ９１３、記憶装置９２０の記憶媒体は、不揮発性メモリの一例である。これらは、記憶部の一例である。
通信ボード９１５、入力機器９０２などは、入力部、入力装置の一例である。
また、通信ボード９１５、表示装置１０３などは、出力部、出力装置の一例である。
【００２３】
通信ボード９１５は、ファクシミリ機９３２、電話器９３１、ＬＡＮ９４２等に接続されている。通信ボード９１５は、ＬＡＮ９４２に限らず、インターネット９４０、ＩＳＤＮ等のＷＡＮ（ワイドエリアネットワーク）などに接続されていても構わない。
記憶装置９２０には、オペレーティングシステム９２１（ＯＳ）、プログラム群９２２、ファイル群９２３が記憶されている。プログラム群９２２のプログラムは、ＣＰＵ９１１、オペレーティングシステム９２１により実行される。
【００２４】
上記プログラム群９２２には、実施の形態の説明において「〜部」として説明する機能を実行するプログラムが記憶されている。プログラムは、ＣＰＵ９１１により読み出され実行される。
ファイル群９２３には、実施の形態の説明において、「〜の判定結果」、「〜の計算結果」、「〜の処理結果」として説明するデータや信号値や変数値やパラメータが、「〜ファイル」や「〜データベース」の各項目として記憶されている。
また、各実施の形態の説明において説明するフローチャートの矢印の部分は主としてデータや信号の入出力を示し、データや信号値は、ＲＡＭ９１４のメモリ、記憶装置９２０の磁気ディスク、その他光ディスク、ミニディスク、ＤＶＤ（Ｄｉｇｉｔａｌ  Ｖｅｒｓａｔｉｌｅ  Ｄｉｓｋ）等の記録媒体に記録される。また、データや信号は、バス９１２や信号線やケーブルその他の伝送媒体によりオンライン伝送される。
【００２５】
また、以下に述べる実施の形態の説明において「〜部」として説明するものは、ＲＯＭ９１３に記憶されたファームウェアで実現されていても構わない。或いは、ソフトウェアのみ、或いは、ハードウェアのみ、或いは、ソフトウェアとハードウェアとの組み合わせ、さらには、ファームウェアとの組み合わせで実施されても構わない。ファームウェアとソフトウェアは、プログラムとして、磁気ディスク、フレキシブルディスク、光ディスク、コンパクトディスク、ミニディスク、ＤＶＤ等の記録媒体に記憶される。プログラムはＣＰＵ９１１により読み出され、ＣＰＵ９１１により実行される。すなわち、プログラムは、以下に述べる「〜部」としてコンピュータを機能させるものである。あるいは、以下に述べる「〜部」の手順をコンピュータに実行させるものである。
【００２６】
次に、本実施の形態にかかるエレベーター制御装置２００が専用運転に移行する際の動作の一例を、図３を用いて説明する。
【００２７】
エレベーター制御装置２００は、専用運転に移行する動作の前提として、スケジュール記憶部２１１には、所定の運転手順（専用運転の手順）、運転開始時刻、運転終了時刻、利用者情報を記憶する処理（スケジュール入力処理）はすでにされているものとする。また、以下の処理は、利用者が個人認証装置１０２を利用して個人識別情報を入力する個人識別情報入力処理がトリガー（切っ掛け）となって開始されるものとし、時計２２０より現在時刻を入力する時刻入力処理も終了しているものとする。
まず、最初に、運転制御部２４０は、Ｓ１０１（運転中確認処理）において、専用運転により運転が実施されている否かを判定する。専用運転により運転が実施されていない場合（Ｎｏの場合）は、Ｓ１０２（スケジュール判定処理）へ進み、スケジュール制御部２３０はスケジュール記憶部２１１に記憶された運転開始時間と運転終了時間とから所定の運転手順で運転することが設定されたスケジュール時間内か判定する。所定の運転手順により運転が実施されている場合（Ｙｅｓの場合）は、ステップＳ１０７へ進み、通常の運転に復帰するか判定する。
【００２８】
ステップＳ１０２（スケジュール判定処理）では、スケジュール制御部２３０は、スケジュールで設定された所定の運転手順の運転開始時刻と運転終了時刻と時計２２０から取得した現在時刻を比較し、現在時刻がスケジュール設定時間内の場合（Ｙｅｓの場合）は、ステップＳ１０３（個人識別情報判定処理）に進み、そうでない場合（Ｎｏの場合）は、処理を終了し、通常の運転を継続する。
【００２９】
ステップＳ１０３（個人識別情報判定処理）では、利用者識別部２５０が個人認証装置１０２より得られた個人識別情報（例えば、部屋番号）と情報設定部２１０で設定された利用者情報（例えば、部屋番号）とが一致するか照合する。一致した場合（Ｙｅｓの場合）は、ステップＳ１０４へ進む。一致しなかった場合（Ｎｏの場合）は、処理を終了し、通常の運転を継続する。
【００３０】
ステップＳ１０４（照合場所判定処理）では、運転制御部２４０が、ステップＳ１０３で照合した個人識別情報がエレベーターかご１００内に設置された個人認証装置１０２ａより得られたものか、乗場に設置された個人認証装置１０２ｂにより得られたものかを判別する。個人識別情報がエレベーターかご１００内に設置された個人認証装置１０２ａより得られたものである場合、ステップＳ１０６（運行開始処理）へ進み、所定の運転手順による運転へ移行する。そうでない場合（乗場に設置された個人認証装置１０２ｂにより照合された場合、Ｎｏの場合）は、ステップＳ１０５（照合階移動処理）へ進み、エレベーター制御装置２００は、エレベーターが個人認証装置１０２ｂの設置階（以下照合階と呼ぶ）へ移動・サービスする。照合階へ移動しサービス確認後（Ｙｅｓの場合）にステップＳ１０６（運行開始処理）へ進み、所定の運転手順による運転へ移行する。
【００３１】
次に、通常の運転手順に復帰する際のフローチャート（Ｓ１０７〜Ｓ１０８）について説明する。
【００３２】
ステップＳ１０７では、運転制御部２４０は、通常の運転に復帰するか否かを判定する。スケジュール制御部２３０が、専用運転を実施する所定の時間内でないと判定した場合（Ｙｅｓの場合）は、ステップＳ１０８に移動し通常の運転に復帰する。個人識別情報入力部２６０によって入力された個人識別情報が、スケジュール記憶部２１１に記憶された利用者情報のいずれにも一致しないと利用者識別部２５０が判別した場合も、ステップＳ１０８に移動し通常の運転に復帰する。専用運転による運転をおこなう条件がそろっている場合（Ｎｏの場合）は、専用運転による運転をそのまま継続する。
【００３３】
また、通常の運転に復帰する条件としてエレベーターの戸閉完了が検証されたか否かを条件とすることができる。戸閉完了が検証された判定された場合は、ステップＳ１０８へ進み、通常の運転に復帰し、戸閉完了が検証されていないと判定された場合は、処理を終了し、専用運転による運転を継続する。これは、戸閉完了までは利用者は荷物等の搬入を行っている可能性があり、運転終了時刻が経過したからといって、直ちに専用運転による運転を解除すれば、利用者が混乱することも考えられるからである。
【００３４】
本実施の形態にかかるエレベーター制御装置２００によれば、情報設定部２１０により所定の運転手順により運転を行う時間帯を設定し、エレベーターの運転を行うので、戸開延長釦を設置することなく、必要に応じて所定の運転手順（専用運転）による運転のサービスが受けられる。また、エレベーター制御装置２００は所定の運転手順による運転サービス（専用運転サービス）を受ける個人を特定し、エレベーターを制御するので、他の利用者が同時にエレベーターを利用するような場合でも、ビル全体のサービスの悪化を防止できる。
【００３５】
実施の形態２．
実施の形態１では、情報設定部２１０によりスケジュール記憶部２１１にスケジュールを設定する際、専用運転を開始する運転開始時刻と終了する運転終了時刻とを設定することとした。しかしながら、利用者の作業内容によっては、全ての階で、専用運転を実施する必要は無く、特定の階でのみ専用運転を実施するほうがよい場合がある。そこで、実施の形態２にかかるエレベーター制御装置では、専用運転を実施する階（以下運転階と呼ぶ）もあわせて設定するようにし、専用運転が設定された階でのみ、専用運転を実施するようにする。なお、専用運転を実施する階（運転階）は、複数階設定できるものとする。
【００３６】
本実施の形態にかかるエレベーター制御装置２００のブロック構成図は、図１と同様である。実施の形態１との相違点は、スケジュール記憶部２１１に運転階が記憶され、さらに、運転制御部２４０は現在運転中の階の情報を入手し、専用運転を実施する階である運転階と一致するか否かを判定することである。運転制御部２４０が、現在運転中の階と運転階が一致すると判定した場合は、専用運転を実施する。一致しないと判定した場合は、通常運転を継続する。
【００３７】
次に本実施の形態にかかるエレベーター制御装置２００の動作を図４のフローチャートを参照して説明する。
エレベーター制御装置２００は、実施の形態１と同様に、専用運転に移行する動作の前提として、スケジュール記憶部２１１には、所定の運転手順（専用運転の手順）、運転開始時刻、運転終了時刻、利用者情報が記憶されているものとし、更に、運転階も記憶されているものとする。
【００３８】
ステップＳ２０１は、実施の形態１で説明したステップＳ１０１と同様なので説明は省略する。また、ステップ２０２も実施の形態１で説明したステップＳ２０２と同様なので説明は省略する。
利用者識別部２５０は、ステップＳ２０３において、個人認証装置１０２ａ又は個人認証装置１０２ｂより得られた個人識別情報（例えば、部屋番号）とが一致しているか否かを判別する。運転制御部２４０は、ステップＳ２０５において、スケジュール記憶部２１１で記憶された階（運転階）にエレベーターかご１００がサービスしているか否かを照合する。一致した場合（Ｙｅｓの場合）は、ステップＳ２０６へ進み、専用運転へ移行する。一致しなかった場合（Ｎｏの場合）は、ステップＳ２０７へ進み、運転制御部２４０は通常運転に復帰するか否かを判定する。
【００３９】
ステップＳ２０７では、運転制御部２４０は、実施の形態１で説明したステップＳ１０８の判定処理に加えて、例えば、通常運転に復帰する条件として専用運転中にスケジュール記憶部２１１で設定されたすべての階（設定された運転階）で戸閉完了を検出したか判定する。戸閉完了した場合（Ｙｅｓの場合）は、ステップＳ２０８へ進み、エレベーター制御装置２００はエレベーターの運転を通常運転に復帰し、そうでない場合（Ｎｏの場合）は、処理を終了し、専用運転を継続する。
【００４０】
したがって、本実施の形態に係るエレベーター制御装置２００を用いれば、専用運転を行う時間帯を設定し、専用運転サービスを受ける個人を特定し、さらに、設定した運転階でのみ専用運転を行うので、戸開延長釦を設置することなく、必要とする人が必要な階で専用運転のサービスが受けられ、ビル全体のサービスの悪化を防止することができる。
【００４１】
実施の形態３．
上記実施の形態１では、スケジュール記憶部２１１に記憶するスケジュール等を設定する際、専用運転を実施する運転開始時刻と運転終了時刻を設定することとした。本実施の形態では、エレベーター制御装置２００が運転を制御するエレベーターが複数台あるものとし、複数台のエレベーターの中から専用運転を実施するエレベーターを選択し、運転エレベーター情報としてスケジュール記憶部２１１に記憶するものとする。専用運転を実施するエレベーターを設定することにより、専用運転を指定されたエレベーターでのみ実施するようにする。なお、専用運転を実施するエレベーター（運転エレベーター情報により専用運転を実施するよう指定されたエレベーター、以下指定エレベーターと呼ぶ）は、複数設定できるものとする。
【００４２】
本実施の形態にかかるエレベーター制御装置２００のブロック構成図は、実施の形態１のブロック構成図と同様である。実施の形態１との相違点は、スケジュール記憶部２１１が、所定の運転手順（専用運転）により運転するエレベーターを特定（指定）する運転エレベーター情報を記憶し、運転制御部２４０は、現在運転中のエレベーターを入手し、個人識別情報入力部２６０によって個人識別情報が入力されたエレベーターと、スケジュール記憶部に記憶された運転エレベーター情報とが一致するか否かを判定することである。運転制御部２４０が、現在運転中のエレベーターと運転エレベーター情報が一致すると判定した場合は、専用運転を実施する。一致しないと判定した場合は、通常運転を継続する。
【００４３】
次に、本実施の形態に係るエレベーター制御装置２００の動作を図５のフローチャートを参照して説明する。エレベーター制御装置２００は、実施の形態１と同様に、専用運転に移行する動作の前提として、スケジュール記憶部には、所定の運転手順（専用運転の手順）、運転開始時刻、運転終了時刻、利用者情報が記憶されているものとし、更に、複数台のエレベーターの中から専用運転を実施するエレベーター（指定エレベーター）を特定する運転エレベーター情報が記憶されているものとする。
【００４４】
ステップＳ３０１において、運転制御部２４０は、専用運転が実施されているか判定する。専用運転が実施されていない場合は、ステップＳ３０２へ進み、スケジュール制御部２３０は、設定されたスケジュール時間内か判定する。専用運転が実施されている場合は、ステップＳ３０９へ進み、運転制御部２４０は、通常運転に復帰するか判定する。ステップＳ３０２では、スケジュール制御部２３０は、スケジュール記憶部２１１に記憶された専用運転の運転開始時刻と運転終了時刻と時計２２０より入力した現在時刻とを比較し現在時刻がスケジュール設定時間内の場合は、ステップＳ３０３に進み、そうでない場合は、処理を終了し、通常運転を継続する。
【００４５】
ステップＳ３０３では、利用者識別部２５０が、個人認証装置１０２より得られた個人識別情報（例えば、部屋番号）とスケジュール記憶部２１１に記憶された利用者情報（例えば、部屋番号）とが一致するか照合する。個人識別情報と利用者情報が一致した場合（Ｙｅｓの場合）は、ステップＳ３０４へ進み、エレベーターかご１００での照合か判別する。個人識別情報と利用者情報とが一致しなかった場合（Ｎｏの場合）は、処理を終了し、通常運転を継続する。
ステップＳ３０４ではステップＳ３０３で照合した個人識別情報がエレベーターかご１００内に設置された個人認証装置１０２ａより得られたものか、乗場に設置された個人認証装置１０２ｂであるか否か判別する。個人識別情報がエレベーターかご１００内に設置された個人認証装置１０２ａより得られたものである場合、ステップＳ３０５へ進み、運転制御部２４０は、スケジュール記憶部に記憶された運転エレベーター情報と、個人識別情報が入力されたエレベーターとが一致するか否かを判定する。運転エレベーター情報と、個人識別情報が入力されたエレベーターとが一致する場合、ステップＳ３０８へ進み、専用運転に移行し、そうでない場合、処理を終了し、通常運転を継続する。
【００４６】
ステップＳ３０４で、乗場に設置された個人認証装置１０２ｂにより個人識別情報が入力されたと判定した場合（Ｎｏの場合）、運転制御部２４０は、ステップＳ３０６において、スケジュール記憶部２１１に記憶された運転エレベーター情報が指定する指定エレベーターを、照合した個人認証装置１０２ｂの設置階（照合階）へ配車する。
【００４７】
運転制御部２４０は、ステップＳ３０７において、指定エレベーターが個人認証装置１０２ｂの設置階（照合階）に到着したか否かを判断し、利用者が搭乗した（サービスをした）と判断した場合（ステップ３０７でＹｅｓの場合）、ステップＳ３０８へ進み、専用運転に移行する。利用者が搭乗していない（サービスしていない）と判断した場合（Ｎｏの場合）は、利用者が指定エレベーターに搭乗するまで待機し、搭乗が確認されるまで繰り返す。
【００４８】
ステップＳ３０９では、実施の形態１のステップＳ１０７と同様に、運転制御部２４０は通常運転に復帰する条件として戸閉完了したか検出する。戸閉完了したと判断した場合（Ｙｅｓの場合）は、ステップＳ３１０へ進み、通常運転に復帰し、そうでない場合（Ｎｏの場合）は、処理を終了し、専用運転を継続する。
【００４９】
このように、本実施の形態に係るエレベーター制御装置２００は、専用運転を行う時間帯を設定し、専用運転サービスを受ける個人を特定し、専用運転を行うので、戸閉延長釦を設置することなく、必要に応じて専用運転のサービスが受けられる。また、複数台のエレベーターが設置されている場合、サービスを受ける個人を特定し、かつ、それに応じて専用運転を実施するエレベーターを特定し制限することができるため、ビル全体のサービスの悪化を防止することができる。
【００５０】
実施の形態４．
本実施の形態では、エレベーター制御装置２００が有する表示情報制御部２７０について、更に、説明する。実施の形態１に係るエレベーター制御装置２００は、表示情報制御部２７０がスケジュール記憶部２１１に記憶された情報を元にメッセージを作成し、エレベーターかご１００や乗場に設置される液晶ディスプレイ等の表示装置１０３に、表示情報制御部２７０が作成したメッセージを表示する。本実施の形態のエレベーター制御装置２００は、さらに、スケジュール記憶部２１１に記憶された運転開始時間の情報をもとに、専用運転を開始する前の一定の期間、専用運転により運転が実施されることをエレベーターの利用者に案内・通知する機能を付加する。専用運転を実施する時間帯をあらかじめ利用者に案内することにより、専用運転を実施することにより一時的にエレベーターの運行サービスが悪化する（例えば、長時間待たされる等）場合でも、利用者の不審感や不快感等を軽減することができる。
【００５１】
本実施の形態にかかるエレベーター制御装置２００のブロック構成図は、図１と同様である。実施の形態１との相違点は、スケジュール記憶部２１１が表示装置１０３に情報を表示する期間を示す情報表示期間を記憶することである。情報表示期間とは、スケジュール情報をいつから表示装置１０３に表示するかを示す期間のデータであり、例えば、専用運転を実施する３日前からスケジュール情報を表示する場合は「３日」を記憶する。更に、情報設定部２１０は、情報表示期間を、入力機器９０２を用いてスケジュール記憶部２１１に設定・入力するものとする。
【００５２】
また、表示情報制御部２７０は、スケジュール記憶部２１１から運転開始時刻と情報表示期間とを取得し、時計２２０から現在時刻を入手することによって、現在時刻が、運転開始時刻より前であり、情報表示期間内であるか否かを判定する。また表示情報制御部２７０は、現在時刻が、専用運転期間内で有るか否かも判定する。表示情報制御部２７０は、現在時刻が、運転開始時刻前で情報表示期間内であると判定した場合は、表示情報制御部２７０は、表示装置１０３に表示する所定のメッセージデータを作成する。所定のメッセージデータとは、エレベーターの利用者が専用運転期間等を案内・通知するための文章データであり、スケジュール記憶部に記憶されたスケジュール情報を元にして作成する。例えば、運転開始時刻が２００７年３月１日（木）９：００、運転終了時刻が２００７年３月１日（木）１２：００であり、専用運転を利用する利用者が引越し業者である場合は、「２００７年３月１日（木）９：００〜１２：００  引越しのためエレベーターを使用します。」という、エレベーターの利用者が読んで理解し易いメッセージを作成する。実施の形態２で示した運転階や、実施の形態３で示した運転エレベーター情報がスケジュール記憶部２１１にある場合は、それらの情報を付加しても構わない。例えば、「２００７年３月１日（木）９：００〜１２：００  １階と４階で引越しのためＡエレベーターを使用します。この期間中は、荷物搬入のためエレベーターが遅延する場合があります。」というメッセージを作成しても構わない。メッセージデータは、あらかじめ、所定のフォーマットで作成し、スケジュール記憶部２１１に記憶しておいても構わない。
【００５３】
表示情報制御部２７０は、メッセージデータを作成後、表示装置１０３に作成したメッセージデータを表示する。表示情報制御部２７０は、エレベーター制御装置２００が専用運転を開始する運転開始時刻まで、作成したメッセージを一定周期毎に表示装置１０３に表示する。専用運転を実施している間は、専用運転を実施中であることを伝えるメッセージを作成し、表示装置１０３にメッセージを出力する。例えば、表示情報制御部２７０は、「現在、引越し作業中のため、開閉時間が延長されています。」など現在専用運転中であることを案内するメッセージを出力する。専用運転を実施する利用者が、エレベーターに搭乗した場合、個人識別情報入力部２６０から入力された個人識別情報を表示装置１０３に出力してもよい。エレベーターかご１００内の表示装置１０３ａに表示された場合は、利用者が専用運転を実施中であること確認することができる。乗場に設置された表示装置１０３ｂからは他の利用者に専用運転中であることを通知することもできる。専用運転が終了した場合、表示表示情報制御部２７０は、メッセージデータを破棄・削除するものとする。
【００５４】
次に、本実施の形態にかかるエレベーター制御装置２００の表示情報制御部２７０の動作を図６のフローチャートを参照して説明する。なお、図６のフローチャートは、一定周期毎に起動されるものとする。
エレベーター制御装置２００は、実施の形態１と同様に、専用運転に移行する動作の前提として、スケジュール記憶部２１１は、所定の運転手順（専用運転の手順）、運転開始時刻、運転終了時刻、利用者情報を記憶していることとし、更に、それらの情報を表示する期間を示す情報表示期間を記憶していることとする。
【００５５】
ステップＳ４０１において、表示情報制御部２７０は、スケジュール記憶部２１１に記憶された専用運転の運転開始時刻と情報表示期間とを取得し、時計２２０から現在時刻を入手する。ステップＳ４０２において、表示情報制御部２７０は、取得した運転開始時刻と現在時刻とを比較し、現在時刻が運転開始時刻より前、情報表示期間内（例えば、３日）であるか否かを判定する。表示情報制御部２７０が情報表示期間内であると判定した場合（Ｙｅｓの場合）は、ステップＳ４０５に進み、そうでなければ（Ｎｏの場合）、専用運転を実施期間内か否かを判定するステップＳ４０３に進む。ステップＳ４０３では、表示情報制御部２７０が、スケジュール記憶部２１１に記憶された専用運転の運転開始時刻と運転終了時刻と時計２２０から入手した現在時刻とを比較し、現在時刻が専用運転を実施する期間内か否かを判定する。専用運転を実施する期間内の場合は、ステップＳ４０５に進み、そうでない場合は、メッセージを作成しないか、メッセージが表示されている場合は、ステップＳ４０５で作成したメッセージを削除する。通常時、表示装置１０３に表示しているメッセージ（現在時刻や、利用階等）がある場合は、そのメッセージを表示する。
【００５６】
ステップＳ４０５に進んだ場合、表示情報制御部２７０は、スケジュール記憶部２１１に記憶された情報を元にメッセージを作成する。例えば、専用運転を実施する期間が２００７年３月１日（木）９：００〜２００７年３月１日（木）１２：００の場合、「２００７年３月１日（木）９：００〜１２：００  引越しのためエレベーターを使用します。」のメッセージを作成する。ステップＳ４０６では、表示情報制御部２７０は、ステップＳ４０５で作成したメッセージを出力する。通常時、表示しているメッセージ（現在時刻、利用階等）がある場合は、作成したメッセージと通常のメッセージとを交互に表示するようにしても構わない。
【００５７】
本実施の形態に係るエレベーター制御装置２００は、エレベーターのかご内と乗場との少なくともいずれかに設置された表示装置１０３に情報を表示する表示情報制御部２７０を備え、表示情報制御部２７０は、スケジュール記憶部２１１が記憶する所定の運転手順（専用運転の手順）と、運転開始時刻及び運転終了時刻と、利用者情報と、個人識別情報入力部２６０が入力した個人識別情報とを表示する。
【００５８】
本実施の形態に示すエレベーター制御装置２００は、表示情報制御部２７０が、スケジュール記憶部２１１に記憶された運転開始時刻と情報表示期間と現在時刻とを比較することにより、専用運転を行う時間帯があらかじめ利用者に案内できる。専用運転により一時的にエレベーターのサービスが悪化（例えば、エレベーターの到着が通常時より遅延する等）する場合でも、サービス悪化の理由が利用者に案内・通知されていることから、利用者の不審感を軽減できるという効果を奏する。
【００５９】
以上で説明した実施の形態に係るエレベーター制御装置２００はマンションの引越し等で戸開延長等の専用運転を必要とする場合に活用できる。
また、これらのうち、２つ以上の実施の形態を組み合わせて実施しても構わない。あるいは、これらのうち、１つの実施の形態を部分的に実施しても構わない。あるいは、これらのうち、２つ以上の実施の形態を部分的に組み合わせて実施しても構わない。
【００６０】
また、図３〜図６のフローチャートに示したフローは、エレベーター制御装置２００を実現するコンピュータ上で実行されるエレベーター制御プログラムの処理手順に相当するものとする。
【図面の簡単な説明】
【００６１】
【図１】各実施の形態に係るエレベーター制御装置２００を示すブロック構成図である。
【図２】各実施の形態に係るエレベーター制御装置２００のハードウェア構成の一例を示す図である。
【図３】実施の形態１に係るエレベーター制御装置２００の動作を示すフローチャートである。
【図４】実施の形態２に係るエレベーター制御装置２００の動作を示すフローチャートである。
【図５】実施の形態３に係るエレベーター制御装置２００の動作を示すフローチャートである。
【図６】実施の形態４に係るエレベーター制御装置２００の動作を示すフローチャートである。
【符号の説明】
【００６２】
１００  エレベーターかご、１０１ａ  戸開釦、１０１ｂ  戸閉釦、１０１ｃ  行き先釦、１０２，１０２ａ，１０２ｂ  個人認証装置、１０３，１０３ａ，１０３ｂ  表示装置、２００  エレベーター制御装置、２１０  情報設定部、２１１  スケジュール記憶部、２２０  時計、２３０  スケジュール制御部、２４０  運転制御部、２５０  利用者識別部、２６０  個人識別情報入力部、２７０  表示情報制御部、９１１  ＣＰＵ、９１３  ＲＯＭ、９１４  ＲＡＭ、９０２  入力機器、９１５  通信ボード、９２０  記憶装置、９２１  オペレーティングシステム、９２２  プログラム群、９２３  ファイル群。
【図１】
2009062120.tif 000003
【図２】
2009062120.tif 000004
【図３】
2009062120.tif 000005
【図４】
2009062120.tif 000006
【図５】
2009062120.tif 000007
【図６】
2009062120.tif 000008